(57)【要約】【課題】排液が泡として排液バッグの上部を伝って水封部に流入することを防止する医療用排液消泡装置及びこれを用いた排液バッグを提供する。【解決手段】医療用排液消泡装置２０は、入口孔３８と出口孔４２とを備えたハウジング管３４内に、消泡剤を保持した消泡剤保持体２２が配置されて構成される。排液バッグ１０は、排液を貯留するための排液槽１２と、排液槽１２の上部に形成され排液を流入させる流入口１４と、排液槽１２の上部に対して下部で連結された水封槽１６と、水封槽１６の上部に形成され負圧源に連通する吸引口１８とを含んで構成され、流入口１４には医療用排液消泡装置２０における出口孔４２が接続される。【選択図】図２
2008302055.tif 000002
【特許請求の範囲】
【請求項１】
入口孔と出口孔とを備えたハウジング管内に、消泡剤を保持した消泡剤保持体が配置されていることを特徴とする医療用排液消泡装置。
【請求項２】
前記消泡剤保持体は、多孔質材料に消泡剤を含ませて形成されることを特徴とする請求項１に記載の医療用排液消泡装置。
【請求項３】
前記消泡剤保持体の一部、又は前記消泡剤保持体と前記ハウジング管の内面との間には排液通過用の通路が形成されることを特徴とする請求項２に記載の医療用排液消泡装置。
【請求項４】
前記消泡剤保持体は、ハニカム構造体又は多束管体に消泡剤を被覆して形成されることを特徴とする請求項１に記載の医療用排液消泡装置。
【請求項５】
排液を貯留するための排液槽と、
前記排液槽の上部に形成され排液を流入させる流入口と、
前記排液槽の上部に対して下部で連結された水封槽と、
前記水封槽の上部に形成され負圧源に連通する吸引口とを含んで構成される排液バッグにおいて、
前記流入口には、請求項１から４のいずれか一項に記載の医療用排液消泡装置における前記出口孔が接続されていることを特徴とする排液バッグ。
【発明の詳細な説明】
【技術分野】
【０００１】
本発明は、医療用の消泡装置及び排液バッグに関し、特に低圧吸引排出装置に用いられる医療用排液消泡装置及びこれを用いた排液バッグに関する。
【背景技術】
【０００２】
従来、患者の体腔内において滲出し続ける血液等の体液を体腔内から除去する場合など、この体液を採集するために用いられる排液バッグが知られている。このような排液バッグには体液流入用の流入孔が設けられており、この孔は患者の体腔に挿入されたカテーテルに接続するようになっている。患者側で発生した体液はカテーテルを通って流入孔に入り排液バッグ内に導かれるようになっている。
【０００３】
また、この排液バッグには吸引用のガス出口孔が設けられており、この孔は外部の負圧源に連通するようになっている。排液バッグと体液通路内とを減圧することにより、体腔内の体液を吸引して、積極的に体液を排液バッグ内に溜めるようになっている。排液バッグには、患者側の方が吸引圧よりも強い陰圧になったときに、気体が患者体内に逆流するのを防ぐための水封部が設けられており、排液バッグのガス出口孔には、排液バッグ内の排液等が負圧源に入り込まないようにオーバーフロー防止弁が通常設けられる。
【０００４】
ここで、例えば特許文献１には、排液バッグ内面や排液の流通路を消泡剤で被覆して、排液とともに吸引した泡を化学作用で消滅させることにより、泡が水封部に入り込まないようにすることが提案されている。
【特許文献１】特開２００２−３６９８７９号公報
【発明の開示】
【発明が解決しようとする課題】
【０００５】
ところで、上記した従来の排液バッグにおいては、排液が排液バッグに直接流れ込むような構造となっているため、この排液に泡状の吸引物が混入されていて、術後排液等の吸引中に、この泡状の吸引物がバッグ内に吸引されると、排液槽の容量が一杯になる前に、この泡状の吸引物が排液槽に滴下せずに排液槽の上部を伝わって水封部に流れ込むことがあった。
【０００６】
そして、水封部に連行された泡が水封部の陰圧側の液槽に混入して液面が泡状となることによって水封部の見かけ上の液位が上昇し、吸引口に設けられたオーバーフロー防止弁がこの泡によって閉塞して吸引口からの吸引を停止させることがあった。その一方で、この泡が吸引口から負圧源の吸引器に流入すると汚染の原因となることもある。
【０００７】
さらに、上記の特許文献１記載の排液バッグでは、排液バッグ内面や排液の流通路を消泡剤で被覆する構成を採用しているが、被覆される表面積が限定されることから消泡剤が不足しがちになるとともに、消泡剤と泡が十分に接触せず、期待した消泡作用を発揮できないおそれがあった。
【０００８】
本発明は、上述した事情に鑑みてなされたものであり、排液バッグに流入する排液における泡を減らすとともに、泡の性状を流下しやすい液状に変化させることにより、排液が泡として排液バッグの上部を伝って水封部に流入することを防止する医療用排液消泡装置及びこれを用いた排液バッグを提供することを目的とする。
【課題を解決するための手段】
【０００９】
本発明に係る医療用排液消泡装置及び排液バッグでは、上記課題を解決するために以下の手段を採用した。
本発明に係る医療用排液消泡装置は、入口孔と出口孔とを備えたハウジング管内に、消泡剤を保持した消泡剤保持体が配置されていることを特徴とする。
本発明に係る排液バッグは、排液を貯留するための排液槽と、前記排液槽の上部に形成され排液を流入させる流入口と、前記排液槽の上部に対して下部で連結された水封槽と、前記水封槽の上部に形成され負圧源に連通する吸引口とを含んで構成される排液バッグにおいて、前記流入口には、上記の医療用排液消泡装置における前記出口孔が接続されていることを特徴とする。
【００１０】
本発明によれば、入口孔からハウジング管内に排液を導入することにより、排液に伴って連行された泡状の吸引物は、消泡剤を保持する消泡剤保持体に接触する。そして、泡状の吸引物は、消泡剤によって液化されて出口孔から排出される。したがって、このような消泡装置の出口孔を流入口に接続した本発明の排液バッグによれば、排液バッグの上部を伝って水封部に泡が入り込まない。
【００１１】
本発明に係る他の医療用排液消泡装置は、上記において、前記消泡剤保持体は、多孔質材料に消泡剤を含ませて形成されることを特徴とする。
【００１２】
本発明によれば、スポンジ材、不織布、紙、ろ過膜のようなフィルター、焼結体などの多孔質材料の多数の微小な孔内や大きな比表面に、消泡剤を保持させることができるので、消泡剤を長時間保持させることができるとともに泡と消泡剤との接触面積を大きく確保することができる。
【００１３】
本発明に係る他の医療用排液消泡装置は、上記において、前記消泡剤保持体の一部、又は前記消泡剤保持体と前記ハウジング管の内面との間には排液通過用の通路が形成されることを特徴とする。
【００１４】
本発明によれば、多孔質材料に目詰まりが生じても消泡剤保持体の内部を通過することなく、前記通路を介して排液は消泡剤保持体を通り抜けることができるので、消泡装置において排液の流れが閉塞するようなことがない。
【００１５】
本発明に係る他の医療用排液消泡装置は、上記において、前記消泡剤保持体は、ハニカム構造体又は多束管体に消泡剤を被覆して形成されることを特徴とする。
【００１６】
本発明によれば、ハニカム構造体又は多束管体のような単位体積あたりの体表面積が大きい構造体の内部に形成される間隙内に、消泡剤を被覆して含ませることができるので、多孔質材料の場合と同様に消泡剤を長時間保持させることができるとともに泡と消泡剤との接触面積を大きく確保することができる。
【発明の効果】
【００１７】
本発明の医療用排液消泡装置によれば、排液に含まれる泡状の吸引物は、消泡剤を保持する消泡剤保持体に接触することで消泡剤によって液化されて出口孔から排出される。したがって、このような消泡装置を流入口に取り付けた本発明の排液バッグによれば、排液槽上部の流入口近傍で消泡されて液状になる。このため、流入口から入り込んだ泡が排液バッグの上部を伝って水封槽に流入することを防止するとともに、水封槽に泡が混入することを防止することができる。
また、排液槽内の排液に消泡剤が含まれるので、バッグ内での泡の発生や、排液がオーバーフローして水封部に流入した場合でも、泡の発生を抑えることができる。
【発明を実施するための最良の形態】
【００１８】
以下、図１から図３を参照し、この発明の第１の実施形態について説明する。
図１は、第１の実施形態に係る排液バッグ１０の一例を示す正面図であり、図２は、排液バッグ１０の縦断面図であり、図３は、排液バッグ１０に用いる第１の実施形態に係る消泡装置（医療用排液消泡装置）２０の構造の一例を示した斜視図である。
【００１９】
排液バッグ１０は、患者の肺臓などの手術後、創部からの排液を吸引して貯留するために用いられる。この排液バッグ１０は、図１、２に示すように、患者の体腔内で発生した排液を貯留するための排液槽１２と、排液槽１２の上部に形成され、外部から排液を流入させる流入口１４と、排液槽１２の上部に対して下部で連結された水封槽１６と、水封槽１６の上部に形成され、外部の負圧源（不図示）に連通する吸引口１８とを含んで一体的に構成されている。そして、流入口１４には消泡剤保持体２２を備える消泡装置２０が外付け接続される。
【００２０】
この排液バッグ１０は、排液槽１２に溜まった排液の液位が外部から観測できるように透明な材質で形成されており、特に負圧がかかっても変形して排液バッグ１０内の容積が変化しないように透明な硬質プラスチック製が用いられる。このようなプラスチックとして、例えば、ポリカーボネート、ポリスルホン、アクリル樹脂、ポリスチレン、スチレン・ブタジエン樹脂を用いることができる。
【００２１】
排液槽１２は、流入口１４直下に設けられる第一排液槽２４と、仕切り壁２６により区画されて第一排液槽２４に隣接して設けられる第二排液槽２８とから構成され、第一排液槽２４と第二排液槽２８の上部は連通状態にある。第二排液槽２８の上部には、横方向に向かって延びる連通孔３０が設けられ、連通孔３０は、上下方向に延びた連結管３２の上端と連通している。連結管３２は、その下端で水封槽１６の下部に連結している。
【００２２】
消泡装置２０は、図３に示すように、有底円筒状のハウジング管３４内部に、消泡剤保持体２２としてのスポンジ材２２ａを収容して構成されている。このハウジング管３４の上側の円盤３６には小径の入口孔３８が設けられ、下側の円盤４０には小径の出口孔４２が設けられる。
【００２３】
スポンジ材２２ａは、略円筒状に形成されており、上下方向に打ち抜かれて同心円状に開口した流路部４４を排液通過用の通路として有し、消泡剤を含有している。このスポンジ材２２ａの外周面はハウジング管３４の内周面に合わせられるように配置される。
入口孔３８は患者側からのチューブ（不図示）が接続され、出口孔４２は排液バッグ１０の流入口１４に対して外付け接続される。そして、患者側の排液はチューブ（不図示）に導かれて入口孔３８に入り込んで、ハウジング管３４内部を通って出口孔４２から出るようになっている。
【００２４】
上記構成の動作を説明する。
排液に伴って吸引された泡状物は、消泡装置２０のハウジング管３４の入口孔３８に入ってスポンジ材２２ａを通過する際に、スポンジ材２２ａに含まれる消泡剤に接触することによりその化学作用で液化する。そして、この液化された排液は、ハウジング管３４の出口孔４２から出て、排液バッグ１０の流入口１４に入り、第一排液槽２４に滴下する。
【００２５】
このように、流入口１４手前の消泡装置２０のハウジング管３４内部を通過する際に泡状物は液化されるので、流入口１４からの排液が、泡として第一排液槽２４の上部を伝って連通孔３０へ入り込むことはない。
また、消泡装置２０のハウジング管３４に入った排液の一部は、スポンジ材２２ａの内径側の流路部４４を通過することができるので、仮にスポンジ材２２ａが目詰まりを起こしても排液はこの流路部４４を通り抜けて流入口１４に入り、第一排液槽２４に滴下する。このため、排液の流路を常に確保することができる。
【００２６】
上記第１の実施形態において、消泡剤保持体２２としては、消泡剤を含有させたスポンジ材２２ａを用いる代わりに、比表面積の大きな多孔質の構造体に消泡剤を含浸させたものや、不織布や紙、ろ過膜などのフィルターや焼結体に消泡剤を含浸させたものを用いるようにしてもよい。
さらに、消泡剤保持体の構造としては、ハニカム状の構造体や多数の管を束ねた多束管体のような、単位体積における表面積／体積比が大きい構造体に消泡剤を被覆したものを充填した構造を用いるようにしてもよい。
【００２７】
また、上記第１の実施形態において、消泡剤保持体２２としての略円筒状のスポンジ材２２ａに同心円状に開口した流路部４４を設ける代わりに、上下方向に貫通した任意形状の開口を設けて排液の流路を形成してもよく、さらにスポンジ材２２ａの外周部に切り欠き部を形成することで排液の流路を確保するようにしてもよい。
【００２８】
さらに、スポンジ材２２ａの外径をハウジング管３４内周の直径よりも若干小さくすることによってスポンジ材２２ａとハウジング管３４の内壁との間に隙間を形成することにより、排液の流路を確保するようにしてもよく、いずれにしても本発明と同様な効果を奏することができる。
【００２９】
このように消泡剤保持体２２の内外に排液通過用の流路を設けることにより、スポンジ材２２ａ内部に多少の目詰まりが生じても、液状の排液が第一排液槽２４内に正常に流下するようにしてもよい。
【００３０】
また、上記第１の実施形態において、消泡装置２０のハウジング管３４に消泡剤保持体２２を収納する代わりに、排液バッグ１０と流入口１４に接続されるチューブ内の途中に消泡剤保持体を設けるようにしてもよい。
【００３１】
本発明で用いる消泡剤としては、排液の発泡を防止するために医療用機器表面等への被覆に通常用いられる消泡剤を用いることができ、特に限定されるものではないが、例えばシリコーン系の消泡剤を用いるようにしてもよい。
【００３２】
以上のように、本発明に係る排液バッグ１０及びこれに用いる消泡装置２０は、排液に含まれる泡状の吸引物は流入口近傍に設けた消泡剤保持体により消泡されるので、排液槽の容量が一杯になる前に、泡状の吸引物が排液槽に滴下せずに排液槽の上部を伝わって水封部に流れ込むことがない。
【００３３】
このように、本発明に係る排液バッグ１０及びこれに用いる消泡装置２０は、水封槽に泡は連行されないので、吸引口に設けられたオーバーフロー防止弁が誤作動することがなく、泡が負圧源の吸引器に流入することでこれを汚染させることがない。
また、消泡剤保持体が多孔質材料やハニカム構造体、多束管体に消泡剤を保持する構成とした場合は、排液吸引中に消泡剤がすぐに不足しがちとなることはなく、しかも十分な接触面積を確保することができて、期待した消泡作用を発揮することができる。
【００３４】
次に、図４を参照し、この発明の第２の実施形態について説明する。
第２の実施形態に係る消泡装置５０が第１の実施形態の消泡装置２０と異なるのは、消泡装置５０のハウジング管５１がチューブ状に形成され、排液バッグ１０に接続される出口孔５２は、排液バッグ１０の流入口１４に対応した長さに形成されるとともに出口孔５２内には消泡剤保持体５３が環状突部５４Ａ、５４Ｂにより保持され、消泡剤保持体５３の上流側はチューブ状の可撓性を有する入口孔５５とされている点である。
その他は、第１の実施形態に係る消泡装置２０と同様であり、その説明を省略する。
第２の実施形態に係る消泡装置５０によれば、消泡剤保持体５３が、排液バッグ１０の流入口１４内に配置されるので、容易に取り扱うことができる。
なお、消泡装置５０の入口孔５５を短く形成して汎用チューブと接続して使用する構成としてもよい。
【００３５】
次に、図５、図６を参照し、この発明の第３の実施形態について説明する。
第３の実施形態に係る消泡装置６０が第１の実施形態の消泡装置２０と異なるのは、消泡装置６０が、図５に示すように、出口孔６２と入口孔６５の壁部とがハウジング管６１と同径とされて円筒形状に形成されている点であり、ハウジング管６１内には消泡剤保持体６３が収納されている。また、消泡装置６０は、排液バッグ１０の入口孔１４よりわずかに小径かつ入口孔１４の長さよりも短く形成され、収納消泡装置６０が排液バッグ１０の入口孔１４内に収納可能とされている。
その他は、第１の実施形態に係る消泡装置２０と同様であり、その説明を省略する。
【００３６】
図６は、消泡装置６０が、排液バッグ１０の入口孔１４内に収納された状態を示しており、入口孔１４の消泡装置６０の上流側にはチューブが接続可能な長さＬが確保されている。
また、排液バッグ１０の入口孔１４の下流側端部には、消泡装置６０を確実に保持するため、例えば、径方向内方に突出する保持壁部１４Ａが形成されていることが好適である。
第３の実施形態に係る消泡装置５０によれば、消泡装置６０が、排液バッグ１０の流入口１４内に配置されるので、取り扱いが容易で消泡装置６０の破損を抑制することができる。
【００３７】
なお、上述した実施の形態において示した各構成部材の諸形状や組み合わせあるいは動作手順等は一例であって、本発明の主旨から逸脱しない範囲において設計要求等に基づき種々変更可能である。
【図面の簡単な説明】
【００３８】
【図１】第１の実施形態に係る排液バッグの一例を示す正面図である。
【図２】第１の実施形態に係る排液バッグの縦断面図である。
【図３】第１の実施形態に係る消泡装置の構造の一例を示した斜視図である。
【図４】第２の実施形態に係る消泡装置と排液バッグの概略を示す縦断面図である。
【図５】第３の実施形態に係る消泡装置の概略を示す縦断面図である。
【図６】第３の実施形態に係る消泡装置と排液バッグ概略を示す縦断面図である。
【符号の説明】
【００３９】
１０…排液バッグ
１２…排液槽
１４…流入口
１６…水封槽
１８…吸引口
２０、５０、６０…消泡装置（医療用排液消泡装置）
２２、５３、６３…消泡剤保持体
２２ａ…スポンジ材（多孔質材料）
３４、６１…ハウジング管
３８、５５、６５…入口孔
４２、５２、６２…出口孔
４４…流路部（通路）
【図１】
2008302055.tif 000003
【図２】
2008302055.tif 000004
【図３】
2008302055.tif 000005
【図４】
2008302055.tif 000006
【図５】
2008302055.tif 000007
【図６】
2008302055.tif 000008